(57)【要約】基地局制御装置（ＲＮＣ）のコントロールプレインを、セル資源を制御する装置と各々の移動体端末（ＭＳ）を制御する装置に分割した場合に想定し、加入者の増加に従う移動体端末制御装置の増設に備え、移動体端末制御装置の負荷分散を図ることを課題とする。無線エリアネットワーク制御システムをセル制御ラジオコントロールサーバと移動体端末制御ラジオコントロールサーバから構成し、移動体端末制御ラジオコントロールサーバが自らのリソース使用状況の継続的な送信をセル制御ラジオコントロールサーバに行い、移動体端末から発呼があった時、リソース使用状況により移動体端末制御ラジオコントロールサーバを選択する。
2003077587.tif 000002
【特許請求の範囲】
【請求項１】
無線エリアネットワークに属する基地局制御装置のコントロールプレインの機能のうち、セルに係る共通資源を制御する機能を備えたセル制御ラジオコントロールサーバと、移動体端末毎の制御を行う機能を備える複数の移動体端末制御ラジオコントロールサーバとからなる無線エリアネットワーク制御システムであって、
前記複数の移動体端末制御ラジオコントロールサーバは、それぞれ前記セル制御ラジオコントロールサーバに対して、自らのリソース使用状況の継続的な送信を行い、
前記セル制御ラジオコントロールサーバは、継続的に前記リソース使用状況を受信し、
前記セル制御ラジオコントロールサーバは、前記移動体端末からの発信を起点とする無線シグナリング資源の割当て要求を受信すると、前記リソース使用状況に基づいて、最適の移動体端末制御ラジオコントロールサーバを選択し、選択した移動体端末制御ラジオコントロールサーバに対して前記無線シグナリング資源の割当て要求を転送することを特徴とする無線エリアネットワーク制御システム。
【請求項２】
前記複数の移動体端末制御ラジオコントロールサーバは、前記継続的な送信として、周期的な送信を行うことを特徴とする請求項１記載の無線エリアネットワーク制御システム。
【請求項３】
前記複数の移動体端末制御ラジオコントロールサーバは、前記セル制御ラジオコントロールサーバを介して前記移動体端末に転送される前記無線個別チャネルの割当て要求の送信と併せて、前記継続的な送信を行うことを特徴とする請求項１記載の無線エリアネットワーク制御システム。
【請求項４】
前記複数の移動体端末制御ラジオコントロールサーバは、前記セル制御ラジオコントロールサーバを介して前記移動体端末に転送される無線個別チャネルの変更要求の送信と併せて、前記継続的な送信を行うことを特徴とする請求項１記載の無線エリアネットワーク制御システム。
【請求項５】
前記複数の移動体端末制御ラジオコントロールサーバは、前記リソース使用状況が所定の閾値を越えた場合に、前記継続的な送信を行うことを特徴とする請求項１記載の無線エリアネットワーク制御システム。
【請求項６】
無線エリアネットワーク制御システムは、共通のセルに対応する複数のセル制御ラジオコントロールサーバを有し、
前記複数の移動体端末制御ラジオコントロールサーバは、前記継続的な送信を、前記複数のセル制御ラジオコントロールサーバに対するＩＰ（Ｉｎｔｅｒｎｅｔ  Ｐｒｏｔｏｃｏｌ）マルチキャスト通信により行うことを特徴とする請求項１記載の無線エリアネットワーク制御システム。
【請求項７】
前記セル制御ラジオコントロールサーバは、受信した前記移動体端末からの発信を起点とする無線シグナリング資源の割当て要求に含まれる前記移動体端末のＩＤを読み出し、前記リソース使用状況に加えて、読み出した前記移動体端末のＩＤに基づいて、前記最適の移動体端末制御ラジオコントロールサーバを選択し、
前記移動体端末制御ラジオコントロールサーバは、転送された前記無線シグナリング資源の割当て要求に含まれる前記移動体端末のＩＤを読み出し、読み出した前記移動体端末のＩＤに対応する無線シグナリング資源の割当て処理が行われている場合には、転送された前記無線シグナリング資源の割当て要求を廃棄することを特徴とした請求項１記載の無線エリアネットワーク制御システム。
【請求項８】
前記移動体端末制御ラジオコントロールサーバは、前記移動体端末に提供されるサービス毎の移動体端末制御数と、前記サービス毎の処理コストに基づいて、トータルコストを算出し、算出した前記トータルコストを、前記リソース使用状況として前記セル制御ラジオコントロールサーバへ送信することを特徴とした請求項１記載の無線エリアネットワーク制御システム。
【請求項９】
前記セル制御ラジオコントロールサーバは、受信した前記移動体端末からの発信を起点とする無線シグナリング資源の割当て要求に含まれる前記移動体端末のＩＤを読み出し、読み出した前記移動体端末のＩＤに基づいて、加入者の契約内容を特定し、前記リソース使用状況に加えて、特定した前記契約内容に基づいて、前記最適の移動体端末制御ラジオコントロールサーバを選択することを特徴とする請求項１記載の無線エリアネットワーク制御システム。
【請求項１０】
無線エリアネットワークに属する基地局制御装置のコントロールプレインの機能のうち、セルに係る共通資源を制御する機能を備えたセル制御ラジオコントロールサーバと、移動体端末毎の制御を行う機能を備える複数の移動体端末制御ラジオコントロールサーバとからなる無線エリアネットワーク制御システムを、隣接する複数のエリアに対応して複数設けた広域無線エリアネットワーク制御システムであって、
各セル制御ラジオコントロールサーバは、互いに通信可能であって、更に、それぞれの無線エリアネットワーク制御システムの複数の移動体端末制御ラジオコントロールサーバのリソース使用状況を常時把握し、
移動体端末制御ラジオコントロールサーバは、無線個別チャネルを使用している移動体端末の移動に伴い、前記移動体端末の制御を、移動先のエリアに対応する無線エリアネットワークのいずれかの移動体端末制御ラジオコントロールサーバに委譲することを決定した場合に、元のエリアに対応する無線エリアネットワークのセル制御ラジオコントロールサーバに、移動先のエリアに対応する無線エリアネットワークの移動体端末制御ラジオコントロールサーバのうち、使用可能な移動体端末制御ラジオコントロールサーバを問い合わせ、
元のエリアに対応する無線エリアネットワークのセル制御ラジオコントロールサーバは、移動先のエリアに対応する無線エリアネットワークのセル制御ラジオコントロールサーバに、前記問い合わせを転送し、
移動先のエリアに対応する無線エリアネットワークのセル制御ラジオコントロールサーバは、前記リソースの使用状況に基づいて、使用する移動体端末制御ラジオコントロールサーバを決定し、使用する移動体端末制御ラジオコントロールサーバの通知を、元のエリアに対応する無線エリアネットワークのセル制御ラジオコントロールサーバを介して、元のエリアに対応する無線エリアネットワークの移動体端末制御ラジオコントロールサーバへ返送し、
元のエリアに対応する無線エリアネットワークの移動体端末制御ラジオコントロールサーバは、受信した前記通知に基づいて、前記使用する移動体端末制御ラジオコントロールサーバに対して、前記移動体端末の制御の委譲手順を開始することを特徴とする広域無線エリアネットワーク制御システム。
【請求項１１】
無線エリアネットワークに属する基地局制御装置のコントロールプレインの機能のうち、移動体端末毎の制御を行う機能を備える複数の移動体端末制御ラジオコントロールサーバと、コアネットワークに属する交換機とからなる無線エリアネットワーク制御システムを、隣接する複数のエリアに対応して複数設けた広域無線エリアネットワーク制御システムであって、
前記交換機は、対応する各移動体端末制御ラジオコントロールサーバからのパケット又は音声の発信要求をカウントし、当該カウントに基づいて、前記各移動体端末制御ラジオコントロールサーバの負荷を計測し、
前記移動体端末制御ラジオコントロールサーバは、無線個別チャネルを使用している移動体端末の移動に伴い、前記移動体端末の制御を、移動先のエリアに対応する無線エリアネットワークのいずれかの移動体端末制御ラジオコントロールサーバに委譲することを決定した場合に、移動先のエリアに対応するコアネットワークに属する交換機に対して、移動体端末制御ラジオコントロールサーバ変更の要求を送信し、
移動先のエリアに対応するコアネットワークに属する交換機は、前記負荷に基づいて、使用する移動体端末制御ラジオコントロールサーバを決定し、決定した移動体端末制御ラジオコントロールサーバへ、前記要求を転送することを特徴とする広域無線エリアネットワーク制御システム。
【請求項１２】
無線エリアネットワークに属する基地局制御装置のコントロールプレインの機能のうち、セルに係る共通資源を制御する機能を備えたセル制御ラジオコントロールサーバと、移動体端末毎の制御を行う機能を備える複数の移動体端末制御ラジオコントロールサーバとからなる無線エリアネットワーク制御システムを、隣接する複数のエリアに対応して複数設けた広域無線エリアネットワーク制御システムであって、
セル制御ラジオコントロールサーバは、前記複数の移動体端末制御ラジオコントロールサーバのリソース使用状況を常時把握し、無線共通チャネルを使用している移動体端末より、キャンプセルの更新要求を受信した場合に、前記リソースの使用状況に基づいて、新しく使用する移動体端末制御ラジオコントロールサーバを決定し、前記キャンプセルの更新要求を、新しく使用する移動体端末制御ラジオコントロールサーバへ転送し、
新しく使用する移動体端末制御ラジオコントロールサーバは、受信した前記キャンプセルの更新要求より、前記移動体端末を現在制御している移動体端末制御ラジオコントロールサーバを特定し、現在制御している移動体端末制御ラジオコントロールサーバへ前記キャンプセルの更新要求を転送し、
現在制御している移動体端末制御ラジオコントロールサーバは、受信した前記キャンプセルの更新要求に基づいて、新しく使用する移動体端末制御ラジオコントロールサーバに対して、前記移動体端末の制御の委譲手順を開始することを特徴とする広域無線エリアネットワーク制御システム。
【発明の詳細な説明】
技術分野
本発明は、無線エリアネットワークの制御方式に関係する。
背景技術
Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）無線技術を適用した第三世代の移動体ネットワークは業界標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）によって標準化されている「Ｗ−ＣＤＭＡ移動通信方式」（立川敬二監修  丸善  平成１３年６月２５日発行）のページ９６に記載されているように、無線エリアネットワーク（ＲＡＮと呼ばれる）と、コアネットワーク（ＣＮと呼ばれる）から構成される。本発明と関係する無線エリアネットワークは、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）無線技術に依存した無線制御や端末移動制御を行うネットワークである。
無線エリアネットワークの構成図を図１１に示す。１は、コアネットワーク（ＣＮ）に属するパケット交換機、２は、コアネットワーク（ＣＮ）に属する音声交換機である。３ａ〜３ｃは、無線エリアネットワーク（ＲＡＮ）に属する基地局制御装置（ＲＮＣ）、４ａ〜４ｄは、無線エリアネットワーク（ＲＡＮ）に属する基地局（ＮｏｄｅＢ）である。また５は、移動体端末（ＭＳ）を示す。
図１２は、無線エリアネットワーク（ＲＡＮ）における移動体端末（ＭＳ）からの発信時の動作概要を示す図である。移動体端末（ＭＳ）５は、音声／パケット通信を開始する場合に、まずシグナリングの伝送に必要な無線シグナリング資源の割当てを基地局制御装置（ＲＮＣ）３ａ〜ｃに要求する。この要求は、全移動体端末（ＭＳ）５が共通に使用可能な無線共通チャネルを使用して、このチャネルを終端する基地局（ＮｏｄｅＢ）４ａ〜ｄを介して基地局制御装置（ＲＮＣ）３ａ〜ｃまで通知される。基地局制御装置（ＲＮＣ）３ａ〜ｃは、この要求から、移動体端末（ＭＳ）５がシグナリングの伝送に使用する無線個別チャネルを割当て、無線個別チャネル情報を基地局（ＮｏｄｅＢ）４ａ〜ｄに通知する。これにより、拡散コードや周波数などのリソースが、移動体端末（ＭＳ）５に対して割当てられる。基地局（ＮｏｄｅＢ）４ａ〜ｄにおける移動体端末（ＭＳ）５向け資源の確保が完了すると、基地局制御装置（ＲＮＣ）３ａ〜ｃは、この無線個別チャネル情報を移動体端末（ＭＳ）５へ通知する。これにより、無線シグナリング資源の割当てが完了する。
その後、移動体端末（ＭＳ）５は、この無線シグナリング資源を使用して、コアネットワーク（ＣＮ）にパケット発信もしくは音声発信の要求を通知する。コアネットワーク（ＣＮ）は、この要求からパケット通信もしくは音声通話に使用する無線通話資源の割当てを基地局制御装置（ＲＮＣ）３ａ〜ｃに要求する。基地局制御装置（ＲＮＣ）３ａ〜ｃは、この要求から、使用する無線個別チャネルの増加を決定し、これを基地局（ＮｏｄｅＢ）４ａ〜ｄに通知する。基地局（ＮｏｄｅＢ）４ａ〜ｄにおける移動体端末（ＭＳ）５向け資源の追加が完了すると、基地局制御装置（ＲＮＣ）３ａ〜ｃはこの無線個別チャネル情報を移動体端末（ＭＳ）５へ通知する。これにより、無線通話資源の割当てが完了する。そして、移動体端末（ＭＳ）５は、パケット通信もしくは音声通話が可能となる。
尚、本発明とは直接関係がないため、図１２では移動体端末（ＭＳ）と無線エリアネットワーク（ＲＡＮ）／コアネットワーク（ＣＮ）の間で送受されるセキュリティや認証の為の情報に関するフロー、各種同期／タイミング制御に関するフロー、及び移動体端末（ＭＳ）とコアネットワーク（ＣＮ）の間の各種情報送受については、省略している。
また、将来の無線エリアネットワーク（ＲＡＮ）のアーキテクチャに関して、ＭＷＩＦ（Ｍｏｂｉｌｅ  Ｗｉｒｅｌｅｓｓ  Ｉｎｔｅｒｎｅｔ  Ｆｏｒｕｍ）がＯｐｅｎ  ＲＡＮ  Ａｒｃｈｉｔｅｃｔｕｒｅ（ＭＴＲ００７ｖ１．０．０）を提案している。このドキュメントのページ５２に記載されたオープン無線エリアネットワーク（ＯＰＥＮ  ＲＡＮ）と３ＧＰＰ無線エリアネットワーク（３ＧＰＰ  ＲＡＮ）のマッピングを、図１３に示す。図１３では、基地局制御装置（ＲＮＣ）３ａ〜ｃを、ユーザトラフィックを扱うベアラープレイン（Ｂｅａｒｅｒ  Ｐｌａｎｅ）と、移動体端末（ＭＳ）や基地局（ＮｏｄｅＢ）を制御するコントロールプレイン（Ｃｏｎｔｒｏｌ  Ｐｌａｎｅ）の二つのプレインに分割し、更に、各々をＣＲＮＣ／ＤＲＮＣと記述されたセル資源を扱うパートと、ＳＲＮＣと記述された移動体端末（ＭＳ）に割当てた資源を扱うパートに分離している。この構成は、現状における基地局制御装置（ＲＮＣ）が備える多くの機能の最適配置を目的として、現状の構成を分解し、再構成する可能性があることを示唆している。
本発明は、無線エリアネットワーク（ＲＡＮ）が、ＭＷＩＦのオープン無線エリアネットワークアーキテクチャ（Ｏｐｅｎ  ＲＡＮ  Ａｒｃｈｉｔｅｃｔｕｒｅ）に基づき発展することを前提に、オープン無線エリアネットワークアーキテクチャにおける課題を解決するものである。とくにオープン無線エリアネットワークアーキテクチャにおいて、基地局制御装置（ＲＮＣ）のコントロールプレイン（Ｃｏｎｔｒｏｌ  Ｐｌａｎｅ）はセル資源を制御するパートと、各々の移動体端末（ＭＳ）を制御するパートに分割され、各々パートは、セルの個数もしくは移動体端末（ＭＳ）数に応じて増設される。これは、基地局制御装置（ＲＮＣ）の制御を、セル制御と移動体端末（ＭＳ）制御の機能に分散させることを示すとともに、セル制御又は移動体端末（ＭＳ）制御の各々レベルで、負荷を分散させることを示唆している。オープン無線エリアネットワークアーキテクチャは。この機能分散の方法を記述しているが、各々の機能の負荷分散方式を規定していない。本発明は、この新しい無線エリアネットワークアーキテクチャにおいて適用可能な負荷分散方式を提供することを課題とする。
発明の開示
本発明に係る無線エリアネットワーク制御システムは、
無線エリアネットワークに属する基地局制御装置のコントロールプレインの機能のうち、セルに係る共通資源を制御する機能を備えたセル制御ラジオコントロールサーバと、移動体端末毎の制御を行う機能を備える複数の移動体端末制御ラジオコントロールサーバとからなる無線エリアネットワーク制御システムであって、
前記複数の移動体端末制御ラジオコントロールサーバは、それぞれ前記セル制御ラジオコントロールサーバに対して、自らのリソース使用状況の継続的な送信を行い、
前記セル制御ラジオコントロールサーバは、継続的に前記リソース使用状況を受信し、
前記セル制御ラジオコントロールサーバは、前記移動体端末からの発信を起点とする無線シグナリング資源の割当て要求を受信すると、前記リソース使用状況に基づいて、最適の移動体端末制御ラジオコントロールサーバを選択し、選択した移動体端末制御ラジオコントロールサーバに対して前記無線シグナリング資源の割当て要求を転送することを特徴とする。
前記複数の移動体端末制御ラジオコントロールサーバは、前記継続的な送信として、周期的な送信を行うことを特徴とする。
前記複数の移動体端末制御ラジオコントロールサーバは、前記セル制御ラジオコントロールサーバを介して前記移動体端末に転送される前記無線個別チャネルの割当て要求の送信と併せて、前記継続的な送信を行うことを特徴とする。
前記複数の移動体端末制御ラジオコントロールサーバは、前記セル制御ラジオコントロールサーバを介して前記移動体端末に転送される無線個別チャネルの変更要求の送信と併せて、前記継続的な送信を行うことを特徴とする。
前記複数の移動体端末制御ラジオコントロールサーバは、前記リソース使用状況が所定の閾値を越えた場合に、前記継続的な送信を行うことを特徴とする。
無線エリアネットワーク制御システムは、共通のセルに対応する複数のセル制御ラジオコントロールサーバを有し、
前記複数の移動体端末制御ラジオコントロールサーバは、前記継続的な送信を、前記複数のセル制御ラジオコントロールサーバに対するＩＰ（Ｉｎｔｅｒｎｅｔ  Ｐｒｏｔｏｃｏｌ）マルチキャスト通信により行うことを特徴とする。
前記セル制御ラジオコントロールサーバは、受信した前記移動体端末からの発信を起点とする無線シグナリング資源の割当て要求に含まれる前記移動体端末のＩＤを読み出し、前記リソース使用状況に加えて、読み出した前記移動体端末のＩＤに基づいて、前記最適の移動体端末制御ラジオコントロールサーバを選択し、
前記移動体端末制御ラジオコントロールサーバは、転送された前記無線シグナリング資源の割当て要求に含まれる前記移動体端末のＩＤを読み出し、読み出した前記移動体端末のＩＤに対応する無線シグナリング資源の割当て処理が行われている場合には、転送された前記無線シグナリング資源の割当て要求を廃棄することを特徴とする。
前記移動体端末制御ラジオコントロールサーバは、前記移動体端末に提供されるサービス毎の移動体端末制御数と、前記サービス毎の処理コストに基づいて、トータルコストを算出し、算出した前記トータルコストを、前記リソース使用状況として前記セル制御ラジオコントロールサーバへ送信することを特徴とする。
前記セル制御ラジオコントロールサーバは、受信した前記移動体端末からの発信を起点とする無線シグナリング資源の割当て要求に含まれる前記移動体端末のＩＤを読み出し、読み出した前記移動体端末のＩＤに基づいて、加入者の契約内容を特定し、前記リソース使用状況に加えて、特定した前記契約内容に基づいて、前記最適の移動体端末制御ラジオコントロールサーバを選択することを特徴とする。
本発明に係る広域無線エリアネットワーク制御システムは、
無線エリアネットワークに属する基地局制御装置のコントロールプレインの機能のうち、セルに係る共通資源を制御する機能を備えたセル制御ラジオコントロールサーバと、移動体端末毎の制御を行う機能を備える複数の移動体端末制御ラジオコントロールサーバとからなる無線エリアネットワーク制御システムを、隣接する複数のエリアに対応して複数設けた広域無線エリアネットワーク制御システムであって、
各セル制御ラジオコントロールサーバは、互いに通信可能であって、更に、それぞれの無線エリアネットワーク制御システムの複数の移動体端末制御ラジオコントロールサーバのリソース使用状況を常時把握し、
移動体端末制御ラジオコントロールサーバは、無線個別チャネルを使用している移動体端末の移動に伴い、前記移動体端末の制御を、移動先のエリアに対応する無線エリアネットワークのいずれかの移動体端末制御ラジオコントロールサーバに委譲することを決定した場合に、元のエリアに対応する無線エリアネットワークのセル制御ラジオコントロールサーバに、移動先のエリアに対応する無線エリアネットワークの移動体端末制御ラジオコントロールサーバのうち、使用可能な移動体端末制御ラジオコントロールサーバを問い合わせ、
元のエリアに対応する無線エリアネットワークのセル制御ラジオコントロールサーバは、移動先のエリアに対応する無線エリアネットワークのセル制御ラジオコントロールサーバに、前記問い合わせを転送し、
移動先のエリアに対応する無線エリアネットワークのセル制御ラジオコントロールサーバは、前記リソースの使用状況に基づいて、使用する移動体端末制御ラジオコントロールサーバを決定し、使用する移動体端末制御ラジオコントロールサーバの通知を、元のエリアに対応する無線エリアネットワークのセル制御ラジオコントロールサーバを介して、元のエリアに対応する無線エリアネットワークの移動体端末制御ラジオコントロールサーバへ返送し、
元のエリアに対応する無線エリアネットワークの移動体端末制御ラジオコントロールサーバは、受信した前記通知に基づいて、前記使用する移動体端末制御ラジオコントロールサーバに対して、前記移動体端末の制御の委譲手順を開始することを特徴とする。
本発明に係る広域無線エリアネットワーク制御システムは、
無線エリアネットワークに属する基地局制御装置のコントロールプレインの機能のうち、移動体端末毎の制御を行う機能を備える複数の移動体端末制御ラジオコントロールサーバと、コアネットワークに属する交換機とからなる無線エリアネットワーク制御システムを、隣接する複数のエリアに対応して複数設けた広域無線エリアネットワーク制御システムであって、
前記交換機は、対応する各移動体端末制御ラジオコントロールサーバからのパケット又は音声の発信要求をカウントし、当該カウントに基づいて、前記各移動体端末制御ラジオコントロールサーバの負荷を計測し、
前記移動体端末制御ラジオコントロールサーバは、無線個別チャネルを使用している移動体端末の移動に伴い、前記移動体端末の制御を、移動先のエリアに対応する無線エリアネットワークのいずれかの移動体端末制御ラジオコントロールサーバに委譲することを決定した場合に、移動先のエリアに対応するコアネットワークに属する交換機に対して、移動体端末制御ラジオコントロールサーバ変更の要求を送信し、
移動先のエリアに対応するコアネットワークに属する交換機は、前記負荷に基づいて、使用する移動体端末制御ラジオコントロールサーバを決定し、決定した移動体端末制御ラジオコントロールサーバへ、前記要求を転送することを特徴とする。
本発明に係る広域無線エリアネットワーク制御システムは、
無線エリアネットワークに属する基地局制御装置のコントロールプレインの機能のうち、セルに係る共通資源を制御する機能を備えたセル制御ラジオコントロールサーバと、移動体端末毎の制御を行う機能を備える複数の移動体端末制御ラジオコントロールサーバとからなる無線エリアネットワーク制御システムを、隣接する複数のエリアに対応して複数設けた広域無線エリアネットワーク制御システムであって、
セル制御ラジオコントロールサーバは、前記複数の移動体端末制御ラジオコントロールサーバのリソース使用状況を常時把握し、無線共通チャネルを使用している移動体端末より、キャンプセルの更新要求を受信した場合に、前記リソースの使用状況に基づいて、新しく使用する移動体端末制御ラジオコントロールサーバを決定し、前記キャンプセルの更新要求を、新しく使用する移動体端末制御ラジオコントロールサーバへ転送し、
新しく使用する移動体端末制御ラジオコントロールサーバは、受信した前記キャンプセルの更新要求より、前記移動体端末を現在制御している移動体端末制御ラジオコントロールサーバを特定し、現在制御している移動体端末制御ラジオコントロールサーバへ前記キャンプセルの更新要求を転送し、
現在制御している移動体端末制御ラジオコントロールサーバは、受信した前記キャンプセルの更新要求に基づいて、新しく使用する移動体端末制御ラジオコントロールサーバに対して、前記移動体端末の制御の委譲手順を開始することを特徴とする。
発明を実施するための最良の形態
実施の形態１．
図１は、実施の形態１における無線エリアネットワークアーキテクチャを示す図である。６は、無線エリアネットワーク（ＲＡＮ）内の各種機器のバックボーンとなるＩＰネットワーク、７ａと７ｂは、コントロールプレイン（Ｃｏｎｔｒｏｌ  Ｐｌａｎｅ）に属し、セル資源の制御を行うセル制御ラジオコントロールサーバ（Ｃｅｌｌ  Ｃｏｎｔｒｏｌ  ＲＣＳ）、８ａと８ｂは、コントロールプレイン（Ｃｏｎｔｒｏｌ  Ｐｌａｎｅ）に属し、移動体端末（ＭＳ）単位での移動や無線個別チャネルなどについての制御を行う移動体端末制御ラジオコントロールサーバ（Ｓｅｒｖｉｎｇ  ＲＣＳ）、９ａと９ｂは、ベアラープレイン（Ｂｅａｒｅｒ  Ｐｌａｎｅ）に属し、複数の移動体端末（ＭＳ）５で共有する共通チャネルのトラフックをハンドリングするセル制御ラジオベアラーサーバ（Ｃｅｌｌ  Ｃｏｎｔｒｏｌ  ＲＢＳ）、１０ａと１０ｂは、ベアラープレイン（Ｂｅａｒｅｒ  Ｐｌａｎｅ）に属し、一つの移動体端末（ＭＳ）５で占有する個別チャネルのトラフックをハンドリングする移動体端末制御ラジオベアラーサーバ（Ｓｅｒｖｉｎｇ  ＲＢＳ）を示す。その他は、図１１と同一である。
セル制御ラジオコントロールサーバ（Ｃｅｌｌ  ｃｏｎｔｒｏｌ  ＲＣＳ）７ａ、７ｂは無線共通チャネル、セル拡散コード、電力などセルに括り付けられた共通資源を制御するノードであり、移動体端末制御ラジオコントロールサーバ（Ｓｅｒｖｉｎｇ  ＲＣＳ）８ａ、８ｂは移動体端末（ＭＳ）５毎の制御を行うノードであって、移動体端末（ＭＳ）５の移動制御／位置管理、無線個別チャネル制御などを行う。セル制御ラジオベアラーサーバ（Ｃｅｌｌ  ｃｏｎｔｒｏｌ  ＲＢＳ）９ａ、９ｂは、セル制御ラジオコントロールサーバ（Ｃｅｌｌ  ｃｏｎｔｒｏｌ  ＲＣＳ）７ａ、７ｂの指示に従い、無線共通チャネルを流れるトラフィックを処理し、移動体端末制御ラジオベアラーサーバ（Ｓｅｒｖｉｎｇ  ＲＢＳ）１０ａ、１０ｂは、移動体端末制御ラジオコントロールサーバ（Ｓｅｒｖｉｎｇ  ＲＣＳ）８ａ、８ｂの指示に従い、無線個別チャネルを流れるトラフィックを処理する。
次に図２を用いて動作を説明する。まず無線エリアネット、ワーク（ＲＡＮ）に複数存在する移動体端末制御ラジオコントロールサーバ（Ｓｅｒｖｉｎｇ  ＲＣＳ）８は、自身のリソース使用状況をセル制御ラジオコントロールサーバ（Ｃｅｌｌ  ｃｏｎｔｒｏｌ  ＲＣＳ）７に対して周期的に報告する。ここでリソース使用状況とは、ＣＰＵ負荷、制御移動体端末（ＭＳ）数、使用バッファ数などによって構成される。このような継続的報告によって、セル制御ラジオコントロールサーバ（Ｃｅｌｌ  ｃｏｎｔｒｏｌ  ＲＣＳ）７は、複数の移動体端末制御ラジオコントロールサーバ（Ｓｅｒｖｉｎｇ  ＲＣＳ）８の負荷を常時把握することができる。移動体端末（ＭＳ）５は、図１２と同様に、無線シグナリング資源の割当てを無線共通チャネルを使用して無線エリアネットワーク（ＲＡＮ）に要求する。この要求は、共通チャネルを終端するセル／基地局（ＮｏｄｅＢ）を制御するセル制御ラジオコントロールサーバ（Ｃｅｌｌ  ｃｏｎｔｒｏｌ  ＲＣＳ）７まで通知される。セル制御ラジオコントロールサーバ（Ｃｅｌｌ  ｃｏｎｔｒｏｌ  ＲＣＳ）７は、複数の移動体端末制御ラジオコントロールサーバ（Ｓｅｒｖｉｎｇ  ＲＣＳ）８から最もリソースの空きが多いものを選択し、この移動体端末制御ラジオコントロールサーバ（Ｓｅｒｖｉｎｇ  ＲＣＳ）８に対して無線シグナリング資源の割当て要求を転送する。移動体端末制御ラジオコントロールサーバ（Ｓｅｒｖｉｎｇ  ＲＣＳ）８は、この要求から、移動体端末（ＭＳ）がシグナリングの伝送に使用する無線個別チャネルを決定し、セル制御ラジオコントロールサーバ（Ｃｅｌｌ  ｃｏｎｔｒｏｌ  ＲＣＳ）７を介して基地局（ＮｏｄｅＢ）４に通知する。このネゴシエーションで、基地局（ＮｏｄｅＢ）４が管理する拡散コードや周波数などのリソースが、移動体端末（ＭＳ）５に対して割当てられる。基地局（ＮｏｄｅＢ）４の移動体端末（ＭＳ）５向け資源確保が完了すると、移動体端末制御ラジオコントロールサーバ（Ｓｅｒｖｉｎｇ  ＲＣＳ）８は、この無線個別チャネル情報を移動体端末（ＭＳ）５へ通知する。これにより、無線シグナリング資源の割当てが完了する。
その後の移動体端末（ＭＳ）５によるパケット／音声発信の要求は、移動体端末（ＭＳ）５と移動体端末制御ラジオコントロールサーバ（Ｓｅｒｖｉｎｇ  ＲＣＳ）８、コアネットワーク（ＣＮ）との間で処理され、セル制御ラジオコントロールサーバ（Ｃｅｌｌ  ｃｏｎｔｒｏｌ  ＲＣＳ）７は、この処理に何ら関与しない。
なお、図２では本発明とは直接関係が無いので、図示していないが、移動体端末制御ラジオコントロールサーバ（Ｓｅｒｖｉｎｇ  ＲＣＳ）８は、基地局（ＮｏｄｅＢ）への無線個別チャネル資源割当て／変更のタイミングで、移動体端末制御ラジオベアラーサーバ（Ｓｅｒｖｉｎｇ  ＲＢＳ）１０ａ、１０ｂを制御してベアラープレイン（Ｂｅａｒｅｒ  Ｐｌａｎｅ）を設定する。
ここで、従来技術と比較する。図１２に示した移動体端末（ＭＳ）からの無線シグナリング資源の割当要求は、無線共通チャネル上で伝送されるためセル制御ラジオコントロールサーバ（Ｃｅｌｌ  ｃｏｎｔｒｏｌ  ＲＣＳ）７が受信し、セル制御ラジオコントロールサーバ（Ｃｅｌｌ  ｃｏｎｔｒｏｌ  ＲＣＳ）７は移動体端末（ＭＳ）制御を依頼するために移動体端末制御ラジオコントロールサーバ（Ｓｅｒｖｉｎｇ  ＲＣＳ）へ転送する。以後、基本的に選択された移動体端末制御ラジオコントロールサーバ（Ｓｅｒｖｉｎｇ  ＲＣＳ）７が、移動体端末（ＭＳ）の移動に関わらずこの移動体端末（ＭＳ）制御を実施する。ただし、図１２に示した基地局（ＮｏｄｅＢ）４の無線個別チャネルの割当て／変更制御は、セル資源を管理するセル制御ラジオコントロールサーバ（Ｃｅｌｌ  ｃｏｎｔｒｏｌ  ＲＣＳ）７に依頼することで行う。また、移動体端末制御ラジオコントロールサーバ（Ｓｅｒｖｉｎｇ  ＲＣＳ）８は複数の移動体端末制御ラジオベアラーサーバ（Ｓｅｒｖｉｎｇ  ＲＢＳ）１０ａ、１０ｂから一つを選択し、当該の移動体端末（ＭＳ）５との間で送受するユーザトラフィック処理のために利用する。以後、基本的に選択された移動体端末制御ラジオベアラーサーバ（Ｓｅｒｖｉｎｇ  ＲＢＳ）１０ａ、１０ｂが、移動体端末（ＭＳ）５の移動に関わらず、この移動体端末（ＭＳ）ユーザのトラフィック処理を実施する。
上述のように、複数の移動体端末制御ラジオコントロールサーバ（Ｓｅｒｖｉｎｇ  ＲＣＳ）８で移動体端末（ＭＳ）制御の負荷分散を行うことを前提に、各移動体端末制御ラジオコントロールサーバ（Ｓｅｒｖｉｎｇ  ＲＣＳ）８が常時自身のリソース使用状況を報告する。そして、セル制御ラジオコントロールサーバ（Ｃｅｌｌ  Ｃｏｎｔｒｏｌ  ＲＣＳ）７は無線シグナリング資源の割当要求受信時に、この情報から最適な移動体端末制御ラジオコントロールサーバ（Ｓｅｒｖｉｎｇ  ＲＣＳ）８を判断し、この移動体端末制御ラジオコントロールサーバ（Ｓｅｒｖｉｎｇ  ＲＣＳ）８に対して無線シグナリング資源の割当要求を転送する。
実施の形態２．
図３は、実施の形態２における情報フローである。本形態は、移動体端末制御ラジオコントロールサーバ（Ｓｅｒｖｉｎｇ  ＲＣＳ）８が、無線個別チャネルの資源をセル制御ラジオコントロールサーバ（Ｃｅｌｌ  ｃｏｎｔｒｏｌ  ＲＣＳ）７を介して基地局（ＮｏｄｅＢ）に要求する際、移動体端末制御ラジオコントロールサーバ（Ｓｅｒｖｉｎｇ  ＲＣＳ）８がセル制御ラジオコントロールサーバ（Ｃｅｌｌ  ｃｏｎｔｒｏｌ  ＲＣＳ）７に対して随時リソース使用状況を報告する。このように、無線個別チャネルの割当て要求とともに、リソース使用状況を送信する方法以外に、無線個別チャネルの変更要求とともに送信する方法も有効である。
リソース使用状況の使用方法などは、実施の形態１と同様である。
上述のように、本実施の形態に係る無線エリアネットワーク（ＲＡＮ）は、各移動体端末制御ラジオコントロールサーバ（Ｓｅｒｖｉｎｇ  ＲＣＳ）８からセル制御ラジオコントロールサーバ（Ｃｅｌｌ  ｃｏｎｔｒｏｌ  ＲＣＳ）７へのリソース使用状況の通知を、運用中に移動体端末制御ラジオコントロールサーバ（Ｓｅｒｖｉｎｇ  ＲＣＳ）８とセル制御ラジオコントロールサーバ（Ｃｅｌｌ  ｃｏｎｔｒｏｌ  ＲＣＳ）７間で常時行われる無線個別チャネルの割当て／変更制御のメッセージに相乗りさせて行うものである。
実施の形態３．
実施の形態３では、移動体端末制御ラジオコントロールサーバ（Ｓｅｒｖｉｎｇ  ＲＣＳ）８によるセル制御ラジオコントロールサーバ（Ｃｅｌｌ  ｃｏｎｔｒｏｌ  ＲＣＳ）７へのリソース使用状況の報告頻度を閾値を利用して制限する。例えば、移動体端末制御ラジオコントロールサーバ（Ｓｅｒｖｉｎｇ  ＲＣＳ）８において、ＣＰＵ負荷、制御移動体端末（ＭＳ）数、使用バッファ数に一定の閾値ｘを設け、当該のリソース使用状況がこの閾値ｘをｙ時間の間連続して超えた場合にのみ、セル制御ラジオコントロールサーバ（Ｃｅｌｌ  ｃｏｎｔｒｏｌ  ＲＣＳ）７へのリソース使用状況の報告を行う。
リソース使用状況の報告方法や利用方法は、実施の形態１および２と同様である。
上述のように、本実施の形態に係る無線エリアネットワーク（ＲＡＮ）では、各移動体端末制御ラジオコントロールサーバ（Ｓｅｒｖｉｎｇ  ＲＣＳ）８からセル制御ラジオコントロールサーバ（Ｃｅｌｌ  ｃｏｎｔｒｏｌ  ＲＣＳ）７へのリソース使用状況の通知を、予めコンフィギュレーションされた閾値を超えた場合にのみ行う。
実施の形態４．
図４は、実施の形態４における無線エリアネットワークアーキテクチャを示す図である。１１は、無線エリアネットワーク（ＲＡＮ）内の各種機器のバックボーンとなるＩＰネットワークに属するＩＰマルチキャスト機能を持つルータである。図４は、ＩＰマルチキャストの概念フローを図中に示している。移動体端末制御ラジオコントロールサーバ（Ｓｅｒｖｉｎｇ  ＲＣＳ）８は、リソース使用状況を特別なマルチキャストグループ宛てに送信する。ＩＰマルチキャストルータはマルチキャストグループ宛てのＩＰパケットを受信し、これをグループメンバーであるセル制御ラジオコントロールサーバ（Ｃｅｌｌ  ｃｏｎｔｒｏｌ  ＲＣＳ）７に同報送信する。
上述のように、本実施の形態に係る無線エリアネットワーク（ＲＡＮ）では、複数のセル制御ラジオコントロールサーバ（Ｃｅｌｌ  ｃｏｎｔｒｏｌ  ＲＣＳ）７が存在し、セル制御ラジオコントロールサーバ（Ｃｅｌｌ  ｃｏｎｔｒｏｌ  ＲＣＳ）７が制御するセルを分担するとともに、各々のセル制御ラジオコントロールサーバ（Ｃｅｌｌ  ｃｏｎｔｒｏｌ  ＲＣＳ）７が全移動体端末制御ラジオコントロールサーバ（Ｓｅｒｖｉｎｇ  ＲＣＳ）８と相互に通信する。この構成において、各移動体端末制御ラジオコントロールサーバ（Ｓｅｒｖｉｎｇ  ＲＣＳ）８はリソースの使用状況を全セル制御ラジオコントロールサーバ（Ｃｅｌｌ  ｃｏｎｔｒｏｌ  ＲＣＳ）７へＩＰマルチキャスト通信を使用して報告する。
実施の形態５．
図５は、実施の形態５における情報フローである。セル制御ラジオコントロールサーバ（Ｃｅｌｌ  ｃｏｎｔｒｏｌ  ＲＣＳ）７は、無線シグナリング資源の割当て要求の受信時に、この要求に含まれるＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）／Ｐ−ＴＭＳＩ（Ｐａｃｋｅｔ−Ｔｅｍｐｏｒａｒｙ  Ｍｏｂｉｌｅ  Ｓｕｂｓｃｒｉｂｅｒ  Ｉｄｅｎｔｉｔｙ）／ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）などの移動体端末（ＭＳ）５のＩＤをキーに、一つの移動体端末制御ラジオコントロールサーバ（Ｓｅｒｖｉｎｇ  ＲＣＳ）８を選択する。この移動体端末制御ラジオコントロールサーバ（Ｓｅｒｖｉｎｇ  ＲＣＳ）８の負荷が高ければ、次の移動体端末制御ラジオコントロールサーバ（Ｓｅｒｖｉｎｇ  ＲＣＳ）８を選択することもできる）。この選択方式によって、同じ移動体端末（ＭＳ）５からの無線シグナリング資源の割当て要求は、基本的に同じ移動体端末制御ラジオコントロールサーバ（Ｓｅｒｖｉｎｇ  ＲＣＳ）８へ転送される。無線シグナリング資源の割当て要求および無線個別チャネル情報の通知は、共通チャネル上で伝送されるため、無線上で欠落や遅延が生じやすい。従って多くの場合、移動体端末（ＭＳ５）は無線個別チャネル情報の通知待ちでタイムアウトし、再度無線シグナリング資源の割当て要求を送信することになる。このタイムアウト時間は、発信遅延を押さえるために、１から２秒の短い時間に設定される。図５は、このタイムアウトシーケンスを示している。この場合、無線シグナリング資源割当要求の再送メッセージを受信した移動体端末制御ラジオコントロールサーバ（Ｓｅｒｖｉｎｇ  ＲＣＳ）８は、移動体端末（ＭＳ）５のＩＤから現在該当要求を処理中か否かを判断し、処理中である場合には、新たな無線個別チャネル資源を取得することなく、無線個別チャネル情報の通知を再送する。
本発明によらず、本形態による移動体端末制御ラジオコントロールサーバ（Ｓｅｒｖｉｎｇ  ＲＣＳ）８選択の規則を使用しない場合には、無線シグナリング資源割当要求の再送メッセージが、最初と異なる移動体端末制御ラジオコントロールサーバ（Ｓｅｒｖｉｎｇ  ＲＣＳ）８へ転送されるケースが発生する。そのため、転送を受けた移動体端末制御ラジオコントロールサーバ（Ｓｅｒｖｉｎｇ  ＲＣＳ）８では、貴重な無線個別チャネル資源を重複して取得する結果となる。この重複リソースは、無線個別チャネル割当て完了待ちタイムアウトの間、浪費される。
上述のように、本実施の形態に係る無線エリアネットワーク（ＲＡＮ）では、セル制御ラジオコントロールサーバ（Ｃｅｌｌ  ｃｏｎｔｒｏｌ  ＲＣＳ）７が無線シグナリング資源の割当要求受信時に、要求メッセージに含まれる移動体端末（ＭＳ）のＩＤを使用して移動体端末制御ラジオコントロールサーバ（Ｓｅｒｖｉｎｇ  ＲＣＳ）８を決定し、この移動体端末制御ラジオコントロールサーバ（Ｓｅｒｖｉｎｇ  ＲＣＳ）８の負荷が許容範囲であるならば、この移動体端末制御ラジオコントロールサーバ（Ｓｅｒｖｉｎｇ  ＲＣＳ）８に対して無線シグナリング資源の割当要求を転送する。このとき移動体端末制御ラジオコントロールサーバ（Ｓｅｒｖｉｎｇ  ＲＣＳ）８が既に同移動体端末（ＭＳ）５のＩＤに対する無線シグナリング資源の割当要求処理中であれば、移動体端末制御ラジオコントロールサーバ（Ｓｅｒｖｉｎｇ  ＲＣＳ）８はこの移動体端末（ＭＳ）５に対する新たな無線シグナリング資源の割当要求を廃棄する。
実施の形態６．
一般的に、無線エリアネットワーク（ＲＡＮ）の制御は、移動体端末（ＭＳ）に提供するサービスによって制御内容が異なる。例えば、音声通信の場合、常に個別チャネルが利用され、移動体端末（ＭＳ）は常時複数のセルを同時に使用して通信し得る（ダイバーシティ状態）。これに対し、パケット通信の場合、トラフィックが少なくなった際に共通チャネルへの切替が生じ、ダイバーシティ通信状態にはならならない。このように、制御の負荷はサービスに大きく依存する。このためＣＰＵ負荷などのリソース使用状況は、制御するしているサービスの数から予測できる。
図６は、移動体端末制御ラジオコントロールサーバ（Ｓｅｒｖｉｎｇ  ＲＣＳ）におけるトータルコスト（リソース使用状況）の算出例を示したものである。移動体端末制御ラジオコントロールサーバ（Ｓｅｒｖｉｎｇ  ＲＣＳ）８は各サービス種別ごとの単位コストを予め記憶しており、この単位コストとこのサービスを提供している移動体端末（ＭＳ）数を乗算することで、移動体端末制御ラジオコントロールサーバ（Ｓｅｒｖｉｎｇ  ＲＣＳ）８自身のトータルコストを算出できる。そして、移動体端末制御ラジオコントロールサーバ（Ｓｅｒｖｉｎｇ  ＲＣＳ）８は、この情報をリソースの使用状況としてセル制御ラジオコントロールサーバ（Ｃｅｌｌ  ｃｏｎｔｒｏｌ  ＲＣＳ）７へ報告する。
上述のように、本実施の形態に係る無線エリアネットワーク（ＲＡＮ）では、移動体端末制御ラジオコントロールサーバ（Ｓｅｒｖｉｎｇ  ＲＣＳ）８がサービス単位の移動体端末（ＭＳ）制御数と既知のサービス処理コストからトータルコストを計算し、この情報をリソースの使用状況としてセル制御ラジオコントロールサーバ（Ｃｅｌｌ  ｃｏｎｔｒｏｌ  ＲＣＳ）７へ報告する。
実施の形態７．
移動体端末制御ラジオコントロールサーバ（Ｓｅｒｖｉｎｇ  ＲＣＳ）８群の例として、二重化呼救済（呼救済という。）をサポートした移動体端末制御ラジオコントロールサーバ（Ｓｅｒｖｉｎｇ  ＲＣＳ）８と、呼救済をサポートしない移動体端末制御ラジオコントロールサーバ（Ｓｅｒｖｉｎｇ  ＲＣＳ）８の二種類があることを想定する。また、セル制御ラジオコントロールサーバ（Ｃｅｌｌ  ｃｏｎｔｒｏｌ  ＲＣＳ）７は、移動体端末（ＭＳ）のＩＤをキーにした加入者ユーザプロファイルを有し、加入者情報として加入者が呼救済の契約を行っているか否かを記憶している。セル制御ラジオコントロールサーバ（Ｃｅｌｌ  ｃｏｎｔｒｏｌ  ＲＣＳ）７が無線シグナリング資源の割当要求を移動体端末（ＭＳ）から受信した際、セル制御ラジオコントロールサーバ（Ｃｅｌｌ  ｃｏｎｔｒｏｌ  ＲＣＳ）７は要求に設定されている移動体端末（ＭＳ）のＩＤから、加入者の呼救済契約内容を読み取り、呼救済すべきであれば無線シグナリング資源の割当要求をこの機能を有する移動体端末制御ラジオコントロールサーバ（Ｓｅｒｖｉｎｇ  ＲＣＳ）８へ転送する。
実施の形態８．
セル制御ラジオコントロールサーバ（Ｃｅｌｌ  ｃｏｎｔｒｏｌ  ＲＣＳ）７を有するオペレータが、この装置を別のオペレータに共有させ、別のオペレータが保有する移動体端末制御ラジオコントロールサーバ（Ｓｅｒｖｉｎｇ  ＲＣＳ）８と前記セル制御ラジオコントロールサーバ（Ｃｅｌｌ  ｃｏｎｔｒｏｌ  ＲＣＳ）７を接続するケースがありうる。この場合、セル制御ラジオコントロールサーバ（Ｃｅｌｌ  ｃｏｎｔｒｏｌ  ＲＣＳ）７は、移動体端末（ＭＳ）５のＩＤをキーとした加入者ユーザプロファイルを有し、加入者情報として加入者が契約しているオペレータが誰かを記憶している。セル制御ラジオコントロールサーバ（Ｃｅｌｌ  ｃｏｎｔｒｏｌ  ＲＣＳ）７が無線シグナリング資源の割当要求を移動体端末（ＭＳ）から受信した際、セル制御ラジオコントロールサーバ（Ｃｅｌｌ  ｃｏｎｔｒｏｌ  ＲＣＳ）７は、要求に設定されている移動体端末（ＭＳ）のＩＤから、加入者のオペレータ契約内容を読み取り、当該のオペレータが保有する移動体端末制御ラジオコントロールサーバ（Ｓｅｒｖｉｎｇ  ＲＣＳ）８へ無線シグナリング資源の割当要求を転送する。
上述の無線エリアネットワーク（ＲＡＮ）では、移動体端末制御ラジオコントロールサーバ（Ｓｅｒｖｉｎｇ  ＲＣＳ）８毎に二重化サポートなど機能が異なるケースを想定する。この構成において、セル制御ラジオコントロールサーバ（Ｃｅｌｌ  ｃｏｎｔｒｏｌ  ＲＣＳ）７が無線シグナリング資源の割当要求受信時に、要求メッセージに含まれる端末ＩＤから加入者情報を取得する。その後、セル制御ラジオコントロールサーバ（Ｃｅｌｌ  ｃｏｎｔｒｏｌ  ＲＣＳ）７は、加入者の契約するサービス品質を満足する移動体端末制御ラジオコントロールサーバ（Ｓｅｒｖｉｎｇ  ＲＣＳ）群の中から一つの移動体端末制御ラジオコントロールサーバ（Ｓｅｒｖｉｎｇ  ＲＣＳ）を選択して、無線シグナリング資源の割当要求を転送する。
実施の形態９．
図７は実施の形態９における無線エリアネットワークアーキテクチャを示す図である。図７は、図１の分散無線エリアネットワークをコアネットワーク６を介して複数接続したものであり、無線エリアネットワークエリアを跨る移動体端末（ＭＳ）の移動を実現することを想定している。
次に図８を用いて動作を説明する。図８は、実施の形態９における情報フローを示す図である。特に、隣接する無線エリアネットワークエリアからハードハンドオーバによって移動体端末（ＭＳ）が移動する際の情報フローを示している。各無線エリアネットワークエリアのセル制御ラジオコントロールサーバ（Ｃｅｌｌ  ｃｏｎｔｒｏｌ  ＲＣＳ）７は自らが属する無線エリアネットワークエリアに属する全移動体端末制御ラジオコントロールサーバ（Ｓｅｒｖｉｎｇ  ＲＣＳ）８のリソース使用状況を把握していることを前提とする。移動体端末（ＭＳ）５が移動し、移動体端末制御ラジオコントロールサーバ（Ｓｅｒｖｉｎｇ  ＲＣＳ）８が隣接する無線エリアネットワークエリアへ移動体端末（ＭＳ）５が移動したことを検出すると、移動体端末制御ラジオコントロールサーバ（Ｓｅｒｖｉｎｇ  ＲＣＳ）８はこの移動体端末（ＭＳ）５の制御を、移動するエリアに属する移動体端末制御ラジオコントロールサーバ（Ｓｅｒｖｉｎｇ  ＲＣＳ）８に委譲する旨を判断する。この際、現移動体端末制御ラジオコントロールサーバ（Ｓｅｒｖｉｎｇ  ＲＣＳ）８は自エリアのセル制御ラジオコントロールサーバ（Ｃｅｌｌ  ｃｏｎｔｒｏｌ  ＲＣＳ）７に隣接エリアの新しい移動体端末制御ラジオコントロールサーバ（Ｓｅｒｖｉｎｇ  ＲＣＳ）８を一つ選択するように要求する。セル制御ラジオコントロールサーバ（Ｃｅｌｌ  ｃｏｎｔｒｏｌ  ＲＣＳ）７は移動先のエリアに属するセル制御ラジオコントロールサーバ（Ｃｅｌｌ  ｃｏｎｔｒｏｌ  ＲＣＳ）７に移動体端末制御ラジオコントロールサーバ（Ｓｅｒｖｉｎｇ  ＲＣＳ）８の選択を要求し、その応答は現移動体端末制御ラジオコントロールサーバ（Ｓｅｒｖｉｎｇ  ＲＣＳ）８まで返送される。現移動体端末制御ラジオコントロールサーバ（Ｓｅｒｖｉｎｇ  ＲＣＳ）８は、取得した応答により特定される新移動体端末制御ラジオコントロールサーバ（Ｓｅｒｖｉｎｇ  ＲＣＳ）８へ制御を委譲するよう、移動体端末制御ラジオコントロールサーバ（Ｓｅｒｖｉｎｇ  ＲＣＳ）８変更の要求を送信する。以降は、３ＧＰＰ標準の動作を行う。新移動体端末制御ラジオコントロールサーバ（Ｓｅｒｖｉｎｇ  ＲＣＳ）８ではこの要求に従い、無線個別チャネル資源を確保し、移動体端末制御ラジオコントロールサーバ（Ｓｅｒｖｉｎｇ  ＲＣＳ）８変更の応答を現移動体端末制御ラジオコントロールサーバ（Ｓｅｒｖｉｎｇ  ＲＣＳ）８へ返送する。その後、現移動体端末制御ラジオコントロールサーバ（Ｓｅｒｖｉｎｇ  ＲＣＳ）８が無線資源切替要求を移動体端末（ＭＳ）に向けて送信することで、移動体端末（ＭＳ）は自身の無線資源（セル依存の拡散コードや周波数）を変更する。無線資源変更の後、移動体端末（ＭＳ）５は、新移動体端末制御ラジオコントロールサーバ（Ｓｅｒｖｉｎｇ  ＲＣＳ）８によって制御されることになる。
尚、現移動体端末制御ラジオコントロールサーバ（Ｓｅｒｖｉｎｇ  ＲＣＳ）８が隣接エリアの新しい移動体端末制御ラジオコントロールサーバ（Ｓｅｒｖｉｎｇ  ＲＣＳ）８を要求する場合、自エリアのセル制御ラジオコントロールサーバ（Ｃｅｌｌ  ｃｏｎｔｒｏｌ  ＲＣＳ）７でなく、移動元のエリアに属するセル制御ラジオコントロールサーバ（Ｃｅｌｌ  ｃｏｎｔｒｏｌ  ＲＣＳ）７に直接問合せても良い。
上述のように、無線個別チャネルを使用している移動体端末（ＭＳ）５がセル／基地局（ＮｏｄｅＢ）／ＲＢＳ／ＲＣＳから構成されるローカル無線エリアネットワークエリア間をハードハンドオーバで移動する際の移動体端末（ＭＳ）５の制御に関する。このような移動体端末（ＭＳ）５移動時には、移動体端末（ＭＳ）５を収容する基地局（ＮｏｄｅＢ）４（もしくはセル）が現在移動体端末（ＭＳ）５を制御している移動体端末制御ラジオコントロールサーバ（Ｓｅｒｖｉｎｇ  ＲＣＳ）８の制御対象外になるため、現在移動体端末（ＭＳ）５の移動を制御している移動体端末制御ラジオコントロールサーバ（Ｓｅｒｖｉｎｇ  ＲＣＳ）８が、移動体端末（ＭＳ）５の制御を別の移動体端末制御ラジオコントロールサーバ（Ｓｅｒｖｉｎｇ  ＲＣＳ）８に委譲する。また、同時に移動体端末（ＭＳ）５のユーザトラフィック処理を別の移動体端末制御ラジオベアラーサーバ（Ｓｅｒｖｉｎｇ  ＲＢＳ）１０ａ、１０ｂに委譲する。
また、ローカル無線エリアネットワークエリア内のセル制御ラジオコントロールサーバ（Ｃｅｌｌ  ｃｏｎｔｒｏｌ  ＲＣＳ）７は、隣接するローカル無線エリアネットワークエリア内に設置されたセル制御ラジオコントロールサーバ（Ｃｅｌｌ  ｃｏｎｔｒｏｌ  ＲＣＳ）７と相互に情報を送受する機構を有する。移動体端末制御ラジオコントロールサーバ（Ｓｅｒｖｉｎｇ  ＲＣＳ）８が移動体端末（ＭＳ）５の制御を隣接のローカル無線エリアネットワークエリアのいずれかの移動体端末制御ラジオコントロールサーバ（Ｓｅｒｖｉｎｇ  ＲＣＳ）８に委譲することを決定し場合、移動体端末制御ラジオコントロールサーバ（Ｓｅｒｖｉｎｇ  ＲＣＳ）８は自ローカル無線エリアネットワークエリア内のセル制御ラジオコントロールサーバ（Ｃｅｌｌ  ｃｏｎｔｒｏｌ  ＲＣＳ）７に使用可能な隣接移動体端末制御ラジオコントロールサーバ（Ｓｅｒｖｉｎｇ  ＲＣＳ）８を問い合わせる。セル制御ラジオコントロールサーバ（Ｃｅｌｌ  ｃｏｎｔｒｏｌ  ＲＣＳ）７は隣接ローカル無線エリアネットワークエリア内のセル制御ラジオコントロールサーバ（Ｃｅｌｌ  ｃｏｎｔｒｏｌ  ＲＣＳ）７にこの問い合わせを転送し、この隣接エリア内セル制御ラジオコントロールサーバ（Ｃｅｌｌ  ｃｏｎｔｒｏｌ  ＲＣＳ）７が取得済みのリソースの使用状況から、使用する隣接移動体端末制御ラジオコントロールサーバ（Ｓｅｒｖｉｎｇ  ＲＣＳ）８を決定する。この結果は、自エリア内セル制御ラジオコントロールサーバ（Ｃｅｌｌ  ｃｏｎｔｒｏｌ  ＲＣＳ）７を介して要求元の移動体端末制御ラジオコントロールサーバ（Ｓｅｒｖｉｎｇ  ＲＣＳ）８まで返送する。移動体端末制御ラジオコントロールサーバ（Ｓｅｒｖｉｎｇ  ＲＣＳ）８は、取得した隣接エリアの移動体端末制御ラジオコントロールサーバ（Ｓｅｒｖｉｎｇ  ＲＣＳ）８に対して制御の委譲手順を起動する。
実施の形態１０．
図９は、実施の形態１０における情報フローを示す図である。図７のネットワークを用いて、隣接する無線エリアネットワークエリアからハードハンドオーバによって移動体端末（ＭＳ）が移動することを想定する。本実施の形態のネットワークでは、コアネットワーク（ＣＮ）内の音声／パケット交換機が移動体端末制御ラジオコントロールサーバ（Ｓｅｒｖｉｎｇ  ＲＣＳ）８からの音声／パケット発信要求をカウントし、移動体端末制御ラジオコントロールサーバ（Ｓｅｒｖｉｎｇ  ＲＣＳ）８の負荷を予測する。現移動体端末制御ラジオコントロールサーバ（Ｓｅｒｖｉｎｇ  ＲＣＳ）８が、移動体端末（ＭＳ）５の制御を、移動先のエリアに属する移動体端末制御ラジオコントロールサーバ（Ｓｅｒｖｉｎｇ  ＲＣＳ）８に委譲する旨判断した場合に、現移動体端末制御ラジオコントロールサーバ（Ｓｅｒｖｉｎｇ  ＲＣＳ）８は、コアネットワーク（ＣＮ）内の音声／パケット交換機へ、移動体端末制御ラジオコントロールサーバ（Ｓｅｒｖｉｎｇ  ＲＣＳ）８変更の要求を送信する。このとき、新移動体端末制御ラジオコントロールサーバ（Ｓｅｒｖｉｎｇ  ＲＣＳ）８はまだ特定されていない。移動先エリアの音声／パケット交換機は、移動体端末制御ラジオコントロールサーバ（Ｓｅｒｖｉｎｇ  ＲＣＳ）８の負荷を予測して、一つの移動体端末制御ラジオコントロールサーバ（Ｓｅｒｖｉｎｇ  ＲＣＳ）８を選択し、選択した移動体端末制御ラジオコントロールサーバ（Ｓｅｒｖｉｎｇ  ＲＣＳ）８に対して移動体端末制御ラジオコントロールサーバ（Ｓｅｒｖｉｎｇ  ＲＣＳ）８変更の要求を転送する。以降は、実施の形態９と同様に動作する。
尚、この例ではコアネットワーク（ＣＮ）内の音声／パケット交換機が移動体端末制御ラジオコントロールサーバ（Ｓｅｒｖｉｎｇ  ＲＣＳ）８の負荷を予測したが、音声／パケット交換機が移動体端末制御ラジオコントロールサーバ（Ｓｅｒｖｉｎｇ  ＲＣＳ）８変更の要求受信時、使用する移動体端末制御ラジオコントロールサーバ（Ｓｅｒｖｉｎｇ  ＲＣＳ）８をセル制御ラジオコントロールサーバ（Ｃｅｌｌ  ｃｏｎｔｒｏｌ  ＲＣＳ）７へ問い合わせても良い。
上述のように、コアネットワーク（ＣＮ）内の交換機は、通常のパケット／音声の発信要求をサービング基地局制御装置（Ｓｅｒｖｉｎｇ  ＲＮＣ）８から受信し、カウントすることで、接続している移動体端末制御ラジオコントロールサーバ（Ｓｅｒｖｉｎｇ  ＲＣＳ）８の負荷を計測する手段を有する。移動体端末（ＭＳ）５がローカル無線エリアネットワークエリア間を移動し、移動体端末制御ラジオコントロールサーバ（Ｓｅｒｖｉｎｇ  ＲＣＳ）８が移動体端末（ＭＳ）５の制御を隣接のローカル無線エリアネットワークエリアのいずれかの移動体端末制御ラジオコントロールサーバ（Ｓｅｒｖｉｎｇ  ＲＣＳ）８に委譲することを決定し場合、移動体端末制御ラジオコントロールサーバ（Ｓｅｒｖｉｎｇ  ＲＣＳ）８は自エリア内のコアネットワーク（ＣＮ）内の交換機−隣接エリア内のコアネットワーク（ＣＮ）交換機経由で移動体端末制御ラジオコントロールサーバ（Ｓｅｒｖｉｎｇ  ＲＣＳ）８に委譲を要求する。このとき隣接エリア内のコアネットワーク（ＣＮ）交換機は、接続している全移動体端末制御ラジオコントロールサーバ（Ｓｅｒｖｉｎｇ  ＲＣＳ）８の負荷情報から最適な移動体端末制御ラジオコントロールサーバ（Ｓｅｒｖｉｎｇ  ＲＣＳ）８を決定し、この移動体端末制御ラジオコントロールサーバ（Ｓｅｒｖｉｎｇ  ＲＣＳ）８に対して制御の委譲手順を起動する。
実施の形態１１．
図１０は、実施の形態１１における情報フローを示す図である。図７のネットワークの下、移動体端末（ＭＳ）５は無線共通チャネルを使用しており、移動体端末（ＭＳ）５の移動によって、隣接する無線エリアネットワークエリアからセルアップデートすることを想定する。この場合、移動体端末（ＭＳ）５が隣接する無線エリアネットワークエリアに属する新しいセルにキャンプし、その旨をネットワークに通知する。つまり、キャンプセルの更新要求を送信する。この要求はこのセルを制御するセル制御ラジオコントロールサーバ（Ｃｅｌｌ  ｃｏｎｔｒｏｌ  ＲＣＳ）７が受信し、セル制御ラジオコントロールサーバ（Ｃｅｌｌ  ｃｏｎｔｒｏｌ  ＲＣＳ）７は最適な移動体端末制御ラジオコントロールサーバ（Ｓｅｒｖｉｎｇ  ＲＣＳ）８を選択し、選択した移動体端末制御ラジオコントロールサーバ（Ｓｅｒｖｉｎｇ  ＲＣＳ）８へこの要求を転送する。移動体端末制御ラジオコントロールサーバ（Ｓｅｒｖｉｎｇ  ＲＣＳ）８は、この移動体端末（ＭＳ）５が自身の管理配下にないことを検出すると、この要求を移動体端末（ＭＳ）５を制御している移動体端末制御ラジオコントロールサーバ（Ｓｅｒｖｉｎｇ  ＲＣＳ）８へ転送する。このメッセージを受信した旧エリアの移動体端末制御ラジオコントロールサーバ（Ｓｅｒｖｉｎｇ  ＲＣＳ）８は、移動体端末（ＭＳ）の制御を、メッセージを送信した移動体端末制御ラジオコントロールサーバ（Ｓｅｒｖｉｎｇ  ＲＣＳ）８に委譲する旨、判断する。そして旧移動体端末制御ラジオコントロールサーバ（Ｓｅｒｖｉｎｇ  ＲＣＳ）８は、新移動体端末制御ラジオコントロールサーバ（Ｓｅｒｖｉｎｇ  ＲＣＳ）８へ制御を委譲するよう、移動体端末制御ラジオコントロールサーバ（Ｓｅｒｖｉｎｇ  ＲＣＳ）８変更の要求を送信する。以降は、３ＧＰＰ標準の動作である。新移動体端末制御ラジオコントロールサーバ（Ｓｅｒｖｉｎｇ  ＲＣＳ）８ではこの要求に従い、使用する無線共通リソースを設定し、移動体端末制御ラジオコントロールサーバ（Ｓｅｒｖｉｎｇ  ＲＣＳ）８変更の応答を現移動体端末制御ラジオコントロールサーバ（Ｓｅｒｖｉｎｇ  ＲＣＳ）８へ返送する。これを受信した現移動体端末制御ラジオコントロールサーバ（Ｓｅｒｖｉｎｇ  ＲＣＳ）８は新移動体端末制御ラジオコントロールサーバ（Ｓｅｒｖｉｎｇ  ＲＣＳ）８に制御をコミットし、新移動体端末制御ラジオコントロールサーバ（Ｓｅｒｖｉｎｇ  ＲＣＳ）８がキャンプセルの更新応答を移動体端末（ＭＳ）５へ送信することで新移動体端末制御ラジオコントロールサーバ（Ｓｅｒｖｉｎｇ  ＲＣＳ）８が制御を引き継ぐことになる。
本実施の形態は、無線共通チャネルを使用している移動体端末（ＭＳ）５がローカル無線エリアネットワークエリア間を移動する際の移動体端末（ＭＳ）５の制御に関する。移動体端末（ＭＳ）５に対して無線共通チャネルを使用する場合、新しくキャンプしたセルを制御する隣接エリアのセル制御ラジオコントロールサーバ（Ｃｅｌｌ  ｃｏｎｔｒｏｌ  ＲＣＳ）７が移動体端末（ＭＳ）５からキャンプするセルの更新要求を受信する。この隣接セル制御ラジオコントロールサーバ（Ｃｅｌｌ  ｃｏｎｔｒｏｌ  ＲＣＳ）７は、取得済みのリソースの使用状況から、使用する隣接移動体端末制御ラジオコントロールサーバ（Ｓｅｒｖｉｎｇ  ＲＣＳ）８を決定して、セルの更新要求をこの移動体端末制御ラジオコントロールサーバ（Ｓｅｒｖｉｎｇ  ＲＣＳ）８まで転送する。移動体端末制御ラジオコントロールサーバ（Ｓｅｒｖｉｎｇ  ＲＣＳ）８では、セルの更新要求の情報から現在移動体端末（ＭＳ）５を制御している移動体端末制御ラジオコントロールサーバ（Ｓｅｒｖｉｎｇ  ＲＣＳ）８を判断し、この移動体端末制御ラジオコントロールサーバ（Ｓｅｒｖｉｎｇ  ＲＣＳ）８までセルの更新要求を転送し、移動体端末制御ラジオコントロールサーバ（Ｓｅｒｖｉｎｇ  ＲＣＳ）８が取得した隣接エリアの移動体端末制御ラジオコントロールサーバ（Ｓｅｒｖｉｎｇ  ＲＣＳ）８に対して制御の委譲手順を起動する。
産業上の利用可能性
本発明によれば、セル制御ラジオコントロールサーバ（Ｃｅｌｌ  Ｃｏｎｔｒｏｌ  ＲＣＳ）が無線シグナリング資源の割当要求受信時にリソース使用状況から最適な移動体端末制御ラジオコントロールサーバ（Ｓｅｒｖｉｎｇ  ＲＣＳ）を判断することで、移動体端末制御ラジオコントロールサーバ（Ｓｅｒｖｉｎｇ  ＲＣＳ）の負荷分散を均等に行うことができる。
本発明によれば、各移動体端末制御ラジオコントロールサーバ（Ｓｅｒｖｉｎｇ  ＲＣＳ）からセル制御ラジオコントロールサーバ（Ｃｅｌｌ  ｃｏｎｔｒｏｌ  ＲＣＳ）へのリソース使用状況の通知を、無線個別チャネルの割当て／変更制御のメッセージに相乗りさせて行うことで、リソース使用状況通知のトラフィック負荷を軽減することができる。
本発明によれば、各移動体端末制御ラジオコントロールサーバ（Ｓｅｒｖｉｎｇ  ＲＣＳ）からセル制御ラジオコントロールサーバ（Ｃｅｌｌ  ｃｏｎｔｒｏｌ  ＲＣＳ）へのリソース使用状況の通知を、予めコンフィギュレーションされた閾値を超えた場合にのみに制限することで、リソース使用状況通知のトラフィック負荷を軽減することができる。
本発明によれば、各移動体端末制御ラジオコントロールサーバ（Ｓｅｒｖｉｎｇ  ＲＣＳ）がリソースの使用状況を全セル制御ラジオコントロールサーバ（Ｃｅｌｌ  ｃｏｎｔｒｏｌ  ＲＣＳ）へＩＰマルチキャストすることで、セル制御ラジオコントロールサーバ（Ｓｅｒｖｉｎｇ  ＲＣＳ）のリソースの使用状況の送信負荷を軽減することができる。
本発明によれば、セル制御ラジオコントロールサーバ（Ｃｅｌｌ  ｃｏｎｔｒｏｌ  ＲＣＳ）が無線シグナリング資源の割当要求メッセージに含まれる移動体端末（ＭＳ）のＩＤを使用して移動体端末制御ラジオコントロールサーバ（Ｓｅｒｖｉｎｇ  ＲＣＳ）を決定し、移動体端末制御ラジオコントロールサーバ（Ｓｅｒｖｉｎｇ  ＲＣＳ）が既に同移動体端末（ＭＳ）のＩＤに対する無線シグナリング資源の割当要求処理中であれば、移動体端末制御ラジオコントロールサーバ（Ｓｅｒｖｉｎｇ  ＲＣＳ）はこの移動体端末（ＭＳ）に対する新たな無線シグナリング資源の割当要求を廃棄することで、無線シグナリング資源の割当要求の再送による無駄な無線リソース捕捉を抑制する。
本発明によれば、移動体端末制御ラジオコントロールサーバ（Ｓｅｒｖｉｎｇ  ＲＣＳ）がサービス単位の移動体端末（ＭＳ）制御数と既知のサービス処理コストからトータルコストを計算し、この情報に基づき移動体端末制御ラジオコントロールサーバ（Ｓｅｒｖｉｎｇ  ＲＣＳ）を決定することで、潜在的な負荷を予測し、リソースの使用状況通知の頻度を押さえても、均等に負荷が分散できる。
本発明によれば、移動体端末制御ラジオコントロールサーバ（Ｓｅｒｖｉｎｇ  ＲＣＳ）の機能に差を持たせ、加入者の契約内容に応じて移動体端末制御ラジオコントロールサーバ（Ｓｅｒｖｉｎｇ  ＲＣＳ）を選択することで、呼救済やキャリア動的選択など各種ユーザの要求を満たすことができる。
本発明によれば、移動体端末制御ラジオコントロールサーバ（Ｓｅｒｖｉｎｇ  ＲＣＳ）は自ローカル無線エリアネットワーク内のセル制御ラジオコントロールサーバ（Ｃｅｌｌ  ｃｏｎｔｒｏｌ  ＲＣＳ）に使用可能な隣接ローカル無線エリアネットワーク内の移動体端末制御ラジオコントロールサーバ（Ｓｅｒｖｉｎｇ  ＲＣＳ）を問い合わせ、セル制御ラジオコントロールサーバ（Ｃｅｌｌ  ｃｏｎｔｒｏｌ  ＲＣＳ）は隣接ローカル無線エリアネットワーク内のセル制御ラジオコントロールサーバ（Ｃｅｌｌ  ｃｏｎｔｒｏｌ  ＲＣＳ）にこの問い合わせを転送し、この隣接エリア内セル制御ラジオコントロールサーバ（Ｃｅｌｌ  ｃｏｎｔｒｏｌ  ＲＣＳ）が取得済みのリソースの使用状況から、使用する隣接移動体端末制御ラジオコントロールサーバ（Ｓｅｒｖｉｎｇ  ＲＣＳ）を決定することで、ローカル無線エリアネットワーク間の移動の際にも、移動体端末制御ラジオコントロールサーバ（Ｓｅｒｖｉｎｇ  ＲＣＳ）の負荷分散を均等に行うことができる。
本発明によれば、コアネットワーク（ＣＮ）内の交換機が自ローカル無線エリアネットワーク内の移動体端末制御ラジオコントロールサーバ（Ｓｅｒｖｉｎｇ  ＲＣＳ）の負荷を認識し、隣接エリア内のコアネットワーク（ＣＮ）交換機が使用する移動体端末制御ラジオコントロールサーバ（Ｓｅｒｖｉｎｇ  ＲＣＳ）を決定することで、ローカル無線エリアネットワーク間の移動の際にも、移動体端末制御ラジオコントロールサーバ（Ｓｅｒｖｉｎｇ  ＲＣＳ）の負荷分散を均等に行うことができる。
本発明によれば、移動体端末（ＭＳ）が新しくキャンプしたセルを制御する隣接エリアの（隣接）セル制御ラジオコントロールサーバ（Ｃｅｌｌ  ｃｏｎｔｒｏｌ  ＲＣＳ）が、取得済みのリソースの使用状況から、使用する（隣接）移動体端末制御ラジオコントロールサーバ（Ｓｅｒｖｉｎｇ  ＲＣＳ）を決定することで、移動体端末（ＭＳ）が無線共通チャネルを使用して、かつローカル無線エリアネットワーク間を移動する際にも、移動体端末制御ラジオコントロールサーバ（Ｓｅｒｖｉｎｇ  ＲＣＳ）の負荷分散を均等に行うことができる。
【図面の簡単な説明】
図１は、この発明の実施の形態１の前提となる無線エリアネットワークアーキテクチャである。
図２は、この発明の実施の形態１に関する端末発信時の無線制御の情報フローである。
図３は、この発明の実施の形態２に関する端末発信時の無線制御の情報フローである。
図４は、この発明の実施の形態４の無線制御に関して、無線エリアネットワークアーキテクチャ内での動作を示す概念図である。
図５は、この発明の実施の形態５における端末発信時の無線制御の情報フローである。
図６は、この発明の実施の形態６を実現するために用意されたトータルコスト算出表である。
図７は、この発明の実施の形態９の前提となる無線エリアネットワークアーキテクチャである。
図８は、この発明の実施の形態９に関する端末ハードハンドオーバ時の無線制御の情報フローである。
図９は、この発明の実施の形態１０に関する端末ハードハンドオーバ時の無線制御の情報フローである。
図１０は、この発明の実施の形態１１に関する位置アップデート時の無線制御の情報フローである。
図１１は、従来の無線エリアネットワークを示すものである。
図１２は、従来の無線エリアネットワークにおいて、端末発信時における無線エリアネットワーク内での制御を示す情報フローである。
図１３は、ＭＷＩＦのＯｐｅｎ  ＲＡＮ  Ａｒｃｈｉｔｅｃｔｕｒｅ（ＭＴＲ００７ｖ１．０．０）に記載された、オープン無線エリアネットワークアーキテクチャと３ＧＰＰアーキテクチャの比較の概念図である。
【図１】
2003077587.tif 000003
【図２】
2003077587.tif 000004
【図３】
2003077587.tif 000005
【図４】
2003077587.tif 000006
【図５】
2003077587.tif 000007
【図６】
2003077587.tif 000008
【図７】
2003077587.tif 000009
【図８】
2003077587.tif 000010
【図９】
2003077587.tif 000011
【図１０】
2003077587.tif 000012
【図１１】
2003077587.tif 000013
【図１２】
2003077587.tif 000014
【図１３】
2003077587.tif 000015
【国際調査報告】
2003077587.tif 000016
2003077587.tif 000017